(57)【要約】【課題】  簡易な構成で、駐車場内での混雑を緩和でき、安定して駐車料金を精算することをできる駐車場管制装置と駐車場管制方法とを提供しようとする。【解決手段】  従来の駐車場管制装置にかわって、車両が駐車場に入場する際に非接触に生成した車両識別情報を駐車券に記録し、車両が駐車エリアに入場する際に非接触に生成した車両識別情報と入庫時刻と駐車エリア情報とを中央システムに記録させ、車両が駐車エアリを出場する際に非接触に生成した車両識別情報と出庫時刻と駐車エリア情報とを中央システムに記録させ、駐車券の申請を受け付けた際に前記中央システムに記録された一連の入庫時刻と出庫時刻のなかから駐車券に記録された車両識別情報に関連づけられた入庫時刻と出庫時刻とを駐車券に記録し、駐車券に記録された前記入庫時刻と前記出庫時刻と前記駐車エリア情報とから駐車料金を決定して精算するので、ものとした。【選択図】    図１
2006201996.tif 000002
【特許請求の範囲】
【請求項１】
個別の料金体系を設定され車両を駐車できる複数の駐車エリアを持つ駐車場の駐車料金を駐車券を用いて管理する駐車場管制装置であって、
駐車場の管理のための管理データを記録できる中央システムと、
駐車場の入口を通過する車両を非接触で識別し車両識別情報を生成して該車両の駐車券に該車両識別情報を記録する入場管理装置と、  
駐車エリアの入口を通過する車両を非接触で識別し車両識別情報を生成して駐車エリアの入庫時刻と駐車エリアを特定する駐車エリア情報と該車両識別情報とを互いに関連づけて前記中央システムに記録させる入庫管理装置と、
駐車エリアの出口を通過する車両を非接触で識別し車両識別情報を生成して駐車エリアの出庫時刻と駐車エリアを特定する駐車エリア情報と該車両識別情報とを互いに関連づけて前記中央システムに記録させる出庫管理装置と、
駐車券の申請を受け付けて前記中央システムの管理データの中の駐車券に記録された前記車両識別情報に関連づけられた前記入庫時刻または前記出庫時刻の一方または両方と前記駐車エリア情報とを駐車券に記録する媒体情報申請装置と、
駐車券に記録された前記入庫時刻と前記出庫時刻と前記駐車エリア情報とから駐車料金を決定して精算することをできる精算管理装置と、
を備える駐車場管制装置。
【請求項２】
前記精算管理装置が、前記中央システムと通信できるときは、前記中央システムの管理データの中の駐車券に記録された前記車両識別情報に関連づけられた前記入庫時刻または前記出庫時刻の一方または両方と前記駐車エリア情報とを取得して、前記入庫時刻と前記出庫時刻と前記駐車エリア情報とから駐車料金を決定して精算し、
前記中央システムと通信できないときは、駐車券に記録された前記入庫時刻と前記出庫時刻と前記駐車エリア情報とから駐車料金を決定して精算する、
ことを特徴とする請求項１に記載の駐車場管制装置。
【請求項３】
前記精算管理装置が、前記中央システムと通信できるときは、前記中央システムの管理データの中の駐車券に記録された前記車両識別情報に関連づけられた前記入庫時刻または前記出庫時刻の一方または両方と前記駐車エリア情報とを取得して、前記入庫時刻と前記出庫時刻と前記駐車エリア情報と駐車券に記録された前記入庫時刻と前記出庫時刻と前記駐車エリア情報とから駐車料金を決定して精算し、
前記中央システムと通信できないときは、駐車券に記録された前記入庫時刻と前記出庫時刻と前記駐車エリア情報とから駐車料金を決定して精算する、
ことを特徴とする請求項１に記載の駐車場管制装置。
【請求項４】
前記媒体情報申請装置が、前記中央システムの管理データの中の駐車券に記録された前記車両識別情報に関連づけられ駐車券の申請を受け付けた時刻の直前の前記入庫時刻または前記出庫時刻の一方または両方と前記駐車エリア情報とを駐車券に記録する、
ことを特徴とする請求項１に記載の駐車場管制装置。
【請求項５】
前記入場管理装置が入場時刻を駐車券に記録し、
前記媒体情報申請装置が、前記中央システムの管理データの中の駐車券に記録された前記車両識別情報に関連づけられ前記入場時刻から所定時間を経過した時刻の直前の前記入庫時刻または前記出庫時刻の一方または両方と前記駐車エリア情報とを駐車券に記録する、
ことを特徴とする請求項１に記載の駐車場管制装置。
【請求項６】
前記入場管理装置が入場時刻を駐車券に記録し、
前記媒体情報申請装置が、
駐車券の申請を受けた時刻が前記入場時刻から一定の時間を経過していないときに、
前記中央システムの管理データの中の駐車券に記録された前記車両識別情報に関連づけられ駐車券の申請を受け付けた時刻の直前の前記入庫時刻または前記出庫時刻の一方または両方と前記駐車エリア情報とを駐車券に記録し、
駐車券の申請を受けた時刻が前記入場時刻から一定の時間を経過した後であるときに、
前記中央システムの管理データの中の駐車券に記録された前記車両識別情報に関連づけられ前記入場時刻から所定時間を経過した時刻の直前の前記入庫時刻または前記出庫時刻の一方または両方と前記駐車エリア情報とを駐車券に記録する、
ことを特徴とする請求項１に記載の駐車場管制装置。
【請求項７】
個別の料金体系を設定され車両を駐車できる複数の駐車エリアを持つ駐車場の駐車料金を駐車券を用いて管理する駐車場管制方法であって、
駐車場の管理のための管理データを記録できる中央システムを準備する準備工程と、
駐車場の入口を通過する車両を非接触で識別し車両識別情報を生成して該車両の駐車券に該車両識別情報を記録する入場管理工程と、
駐車エリアの入口を通過する車両を非接触で識別し車両識別情報を生成して駐車エリアの入庫時刻と駐車エリアを特定する駐車エリア情報と該車両識別情報とを互いに関連づけて前記中央システムに記録させる入庫管理工程と、
駐車エリアの出口を通過する車両を非接触で識別し車両識別情報を生成して駐車エリアの出庫時刻と駐車エリアを特定する駐車エリア情報と該車両識別情報とを互いに関連づけて前記中央システムに記録させる出庫管理工程と、
駐車券の申請を受け付けて前記中央システムの管理データの中の駐車券に記録された前記車両識別情報に関連づけられた前記入庫時刻または前記出庫時刻の一方または両方と前記駐車エリア情報とを駐車券に記録する媒体情報申請工程と、
駐車券に記録された前記入庫時刻と前記出庫時刻と前記駐車エリア情報とから駐車料金を決定して精算することをできる精算管理工程と、
を備える駐車場管制方法。
【請求項８】
前記精算管理工程が、前記中央システムと通信できるときは、前記中央システムの管理データの中の駐車券に記録された前記車両識別情報に関連づけられた前記入庫時刻または前記出庫時刻の一方または両方と前記駐車エリア情報とを取得して、前記入庫時刻と前記出庫時刻と前記駐車エリア情報とから駐車料金を決定し精算し、
前記中央システムと通信できないときは、駐車券に記録された前記入庫時刻と前記出庫時刻と前記駐車エリア情報とから駐車料金を決定して精算する、
ことを特徴とする請求項７に記載の駐車場管制方法。
【請求項９】
前記精算管理工程が、前記中央システムと通信できるときは、前記中央システムの管理データの中の駐車券に記録された前記車両識別情報に関連づけられた前記入庫時刻または前記出庫時刻の一方または両方と前記駐車エリア情報とを取得して、前記入庫時刻と前記出庫時刻と前記駐車エリア情報と駐車券に記録された前記入庫時刻と前記出庫時刻と前記駐車エリア情報とから駐車料金を決定し精算し、
前記中央システムと通信できないときは、駐車券に記録された前記入庫時刻と前記出庫時刻と前記駐車エリア情報とから駐車料金を決定して精算する、
ことを特徴とする請求項７に記載の駐車場管制方法。
【請求項１０】
前記媒体情報申請工程が、前記中央システムの管理データの中の駐車券に記録された前記車両識別情報に関連づけられ駐車券の申請を受け付けた時刻の直前の前記入庫時刻または前記出庫時刻の一方または両方と前記駐車エリア情報とを駐車券に記録する、
ことを特徴とする請求項７に記載の駐車場管制方法。
【請求項１１】
前記入場管理工程が、入場時刻を駐車券に記録し、
前記媒体情報申請工程が、前記中央システムの管理データの中の駐車券に記録された前記車両識別情報に関連づけられ前記入場時刻から所定時間を経過した時刻の直前の前記入庫時刻または前記出庫時刻の一方または両方と前記駐車エリア情報とを駐車券に記録する、
ことを特徴とする請求項７に記載の駐車場管制方法。
【請求項１２】
前記入場管理工程が、入場時刻を駐車券に記録し、
前記媒体情報申請工程が、
駐車券の申請を受けた時刻が前記入場時刻から一定の時間を経過していないときに、
前記中央システムの管理データの中の駐車券に記録された前記車両識別情報に関連づけられ駐車券の申請を受け付けた時刻の直前の前記入庫時刻または前記出庫時刻の一方または両方と前記駐車エリア情報とを駐車券に記録し、
駐車券の申請を受けた時刻が前記入場時刻から一定の時間を経過した後であるときに、
前記中央システムの管理データの中の駐車券に記録された前記車両識別情報に関連づけられた前記入場時刻から所定時間を経過した時刻の直前の前記入庫時刻または前記出庫時刻の一方または両方と前記駐車エリア情報とを駐車券に記録する、
ことを特徴とする請求項７に記載の駐車場管制方法。
【発明の詳細な説明】
【技術分野】
【０００１】
本発明は、車両を駐車させる駐車場に用いられる駐車場管制装置と駐車場管制方法とに係る。特に、駐車料金を精算する手順と装置に特徴のある駐車場管制装置と駐車場管制方法とに関する。
【背景技術】
【０００２】
車両を駐車させる駐車装置に駐車場管制方法とその方法を用いる駐車場管制装置とが採用される。
駐車場の入口で車両識別情報（車両ＩＤ）と駐車券番号（媒体ＩＤ）と入場時刻を取得し、駐車エリア毎に車両の入出庫時刻を取得し、取得した時刻に基づいて精算する駐車場管制装置と駐車場管制方法とが用いられる。
【０００３】
例えば、駐車場の入口で駐車券番号（媒体ＩＤ）と入場時刻とを取得し、駐車エリア毎に車両の入出庫時刻を取得し、取得した時刻に基づいて精算する駐車場において、駐車エリアの入出庫口毎にカーゲートと駐車券読取機とを備えた駐車場管制装置が考えられている。  
利用者は、駐車エリア毎に設置された駐車券読取機に駐車券（媒体）を投入し、カーゲートを開いて駐車エリアへの入出庫をする。駐車券読取機は、投入された駐車券（媒体）に入出庫時刻を記録する。精算時には駐車券（媒体）に記録された時刻情報に基づいて精算処理をする。
本方式では、利用者は、駐車エリアへ入出庫する毎に車両を停止させて、駐車券（媒体）を駐車券読取機に投入する必要がある。このため、駐車エリアの入出庫口で混雑が生じる。
【０００４】
また、例えば、駐車場の入口で車両識別情報（車両ＩＤ）と駐車券番号（媒体ＩＤ）と入場時刻とを取得し、駐車エリア毎に車両の入出庫時刻を取得し、取得した時刻に基づいて精算する駐車場において、駐車エリアの入出庫口毎に車両ＩＤ取得装置を備えた駐車場管制装置が考えられている。駐車場入口で取得された車両識別情報（車両ＩＤ）と駐車券番号（媒体ＩＤ）と入場時刻とが、互いに関連づけられて中央システムに記録される。駐車券番号（媒体ＩＤ）によって、車両の入出庫時刻を検索できる。
利用者は、駐車エリアの入出庫口を通過する際に、車両ＩＤ取得装置により車両識別情報（車両ＩＤ）と入出庫時刻とを取得される。取得された入出庫時刻は、中央システムに車両識別情報（車両ＩＤ）に関連付けられて記録される。精算の際には、精算機に投入された駐車券（媒体）の駐車券番号（媒体ＩＤ）に関連する入出庫時刻を取得する事で精算する。
本方式では、駐車券（媒体）に入出庫時刻を記録しないために、精算機と中央システムとの間で通信が出来なくなると、入出庫時刻に基づく精算ができなくなる。
【０００５】
【特許文献１】特開２００１−１４８０３９号
【特許文献２】特開２００４−８６４５２号
【発明の開示】
【発明が解決しようとする課題】
【０００６】
本発明は以上に述べた問題点に鑑み案出されたもので、簡易な構成で、駐車場内での混雑を緩和でき、安定して駐車料金を精算することをできる駐車場管制装置と駐車場管制方法とを提供しようとする。
【課題を解決するための手段】
【０００７】
上記目的を達成するため、本発明に係る個別の料金体系を設定され車両を駐車できる複数の駐車エリアを持つ駐車場の駐車料金を駐車券を用いて管理する駐車場管制装置を、駐車場の管理のための管理データを記録できる中央システムと、駐車場の入口を通過する車両を非接触で識別し車両識別情報を生成して該車両の駐車券に該車両識別情報を記録する入場管理装置と、  駐車エリアの入口を通過する車両を非接触で識別し車両識別情報を生成して駐車エリアの入庫時刻と駐車エリアを特定する駐車エリア情報と該車両識別情報とを互いに関連づけて前記中央システムに記録させる入庫管理装置と、駐車エリアの出口を通過する車両を非接触で識別し車両識別情報を生成して駐車エリアの出庫時刻と駐車エリアを特定する駐車エリア情報と該車両識別情報とを互いに関連づけて前記中央システムに記録させる出庫管理装置と、駐車券の申請を受け付けて前記中央システムの管理データの中の駐車券に記録された前記車両識別情報に関連づけられた前記入庫時刻または前記出庫時刻の一方または両方と前記駐車エリア情報とを駐車券に記録する媒体情報申請装置と、駐車券に記録された前記入庫時刻と前記出庫時刻と前記駐車エリア情報とから駐車料金を決定して精算することをできる精算管理装置と、を備えるものとした。
【０００８】
上記本発明の構成により、中央システムが駐車場の管理のための管理データを記録でき、入場管理装置が駐車場の入口を通過する車両を非接触で識別し車両識別情報を生成して該車両の駐車券に該車両識別情報を記録し、入庫管理装置が駐車エリアの入口を通過する車両を非接触で識別し車両識別情報を生成して駐車エリアの入庫時刻と駐車エリアを特定する駐車エリア情報と該車両識別情報とを互いに関連づけて前記中央システムに記録させ、出庫管理装置が駐車エリアの出口を通過する車両を非接触で識別し車両識別情報を生成して駐車エリアの出庫時刻と駐車エリアを特定する駐車エリア情報と該車両識別情報とを互いに関連づけて前記中央システムに記録させ、媒体情報申請装置が駐車券の申請を受け付けて前記中央システムの管理データの中の駐車券に記録された前記車両識別情報に関連づけられた前記入庫時刻または前記出庫時刻の一方または両方と前記駐車エリア情報とを駐車券に記録し、精算管理装置が駐車券に記録された前記入庫時刻と前記出庫時刻と前記駐車エリア情報とから駐車料金を決定して精算することをできるので、駐車場に入った車両は自由に選んだ駐車エリアに駐車でき、駐車エリアを出入する際に駐車エリアの入口と出口とで一時停止する必要がなく、駐車料金を精算する際に、精算管理装置と中央システムとの通信ができなくても、駐車料金の精算ができる。
【０００９】
上記目的を達成するため、本発明に係る個別の料金体系を設定され車両を駐車できる複数の駐車エリアを持つ駐車場の駐車料金を駐車券を用いて管理する駐車場管制方法を、駐車場の管理のための管理データを記録できる中央システムを準備する準備工程と、駐車場の入口を通過する車両を非接触で識別し車両識別情報を生成して該車両の駐車券に該車両識別情報を記録する入場管理工程と、駐車エリアの入口を通過する車両を非接触で識別し車両識別情報を生成して駐車エリアの入庫時刻と駐車エリアを特定する駐車エリア情報と該車両識別情報とを互いに関連づけて前記中央システムに記録させる入庫管理工程と、駐車エリアの出口を通過する車両を非接触で識別し車両識別情報を生成して駐車エリアの出庫時刻と駐車エリアを特定する駐車エリア情報と該車両識別情報とを互いに関連づけて前記中央システムに記録させる出庫管理工程と、駐車券の申請を受け付けて前記中央システムの管理データの中の駐車券に記録された前記車両識別情報に関連づけられた前記入庫時刻または前記出庫時刻の一方または両方と前記駐車エリア情報とを駐車券に記録する媒体情報申請工程と、駐車券に記録された前記入庫時刻と前記出庫時刻と前記駐車エリア情報とから駐車料金を決定して精算することをできる精算管理工程と、を備えるものとした。
【００１０】
上記本発明の構成により、準備工程で駐車場の管理のための管理データを記録できる中央システムを準備し、入場管理工程で駐車場の入口を通過する車両を非接触で識別し車両識別情報を生成して該車両の駐車券に該車両識別情報を記録し、入庫管理工程で駐車エリアの入口を通過する車両を非接触で識別し車両識別情報を生成して駐車エリアの入庫時刻と駐車エリアを特定する駐車エリア情報と該車両識別情報とを互いに関連づけて前記中央システムに記録させ、出庫管理工程で駐車エリアの出口を通過する車両を非接触で識別し車両識別情報を生成して駐車エリアの出庫時刻と駐車エリアを特定する駐車エリア情報と該車両識別情報とを互いに関連づけて前記中央システムに記録させ、媒体情報申請工程で駐車券の申請を受け付けて前記中央システムの管理データの中の駐車券に記録された前記車両識別情報に関連づけられた前記入庫時刻または前記出庫時刻の一方または両方と前記駐車エリア情報とを駐車券に記録し、精算管理工程で駐車券に記録された前記入庫時刻と前記出庫時刻と前記駐車エリア情報とから駐車料金を決定して精算することをできるので、駐車場に入った車両は自由に選んだ駐車エリアに駐車でき、駐車エリアを出入する際に駐車エリアの入口と出口とで一時停止する必要がなく、駐車料金を精算する際に、中央システムとの通信ができなくても、駐車料金の精算ができる。
【発明の効果】
【００１１】
以上説明したように本発明に係る個別の料金体系を設定され車両を駐車できる複数の駐車エリアを持つ駐車場の駐車料金を駐車券を用いて管理する駐車場管制装置と駐車場管制方法とは、その構成により、以下の効果を有する。
車両が駐車場に入場する際に非接触に生成した車両識別情報を駐車券に記録し、車両が駐車エリアに入場する際に非接触に生成した車両識別情報と入庫時刻と駐車エリア情報とを中央システムに記録させ、車両が駐車エリアを出場する際に非接触に生成した車両識別情報と出庫時刻と駐車エリア情報とを中央システムに記録させ、駐車券の申請を受け付けた際に前記中央システムに記録された一連の入庫時刻と出庫時刻のなかから駐車券に記録された車両識別情報に関連づけられた入庫時刻と出庫時刻とを駐車券に記録し、駐車券に記録された前記入庫時刻と前記出庫時刻と前記駐車エリア情報とから駐車料金を決定して精算するので、駐車場に入った車両は自由に選んだ駐車エリアに駐車でき、駐車エリアを出入する際に駐車エリアの入口と出口とで一時停止する必要がなく、駐車料金を精算する際に、中央システムとの通信ができなくても、駐車料金の精算ができる。
従って、簡易な構成で、駐車場内での混雑を緩和でき、安定して駐車料金を精算することをできる駐車料金精算装置と駐車料金精算方法とを提供できる。
【発明を実施するための最良の形態】
【００１２】
以下に、本発明に係る駐車場管制装置のいくつかの実施形態を説明する。本発明は、以下に記載の実施形態のいずれか、またはそれらの中の二つ以上が組合わされた態様を含む。
【００１３】
本発明の実施形態に係る駐車場管制装置は、前記精算管理装置が、前記中央システムと通信できるときは、前記中央システムの管理データの中の駐車券に記録された前記車両識別情報に関連づけられた前記入庫時刻または前記出庫時刻の一方または両方と前記駐車エリア情報とを取得して、前記入庫時刻と前記出庫時刻と前記駐車エリア情報と駐車券に記録された前記入庫時刻と前記出庫時刻と前記駐車エリア情報とから駐車料金を決定して精算し、前記中央システムと通信できないときは、駐車券に記録された前記入庫時刻と前記出庫時刻と前記駐車エリア情報とから駐車料金を決定して精算する。
上記実施形態の構成により、前記中央システムの管理データを使えるときは、前記中央システムの管理データの中の駐車券に記録された前記車両識別情報に関連づけられた前記入庫時刻または前記出庫時刻の一方または両方と前記駐車エリア情報とを取得して、前記入庫時刻と前記出庫時刻と前記駐車エリア情報とから駐車料金を決定して精算し、前記中央システムの管理データを使えないときは、駐車券に記録された前記入庫時刻と前記出庫時刻と前記駐車エリア情報とから駐車料金を決定して精算するので、通常は、正確な駐車料金の精算ができ、精算管理装置と中央システムとの通信ができなくなった場合でも、駐車料金の精算ができる。
【００１４】
本発明の実施形態に係る駐車場管制装置は、前記精算管理装置が、前記中央システムと通信できるときは、前記中央システムの管理データの中の駐車券に記録された前記車両識別情報に関連づけられた前記入庫時刻または前記出庫時刻の一方または両方と前記駐車エリア情報とを取得して、前記入庫時刻と前記出庫時刻と前記駐車エリア情報と駐車券に記録された前記入庫時刻と前記出庫時刻と前記駐車エリア情報とから駐車料金を決定して精算し、前記中央システムと通信できないときは、駐車券に記録された前記入庫時刻と前記出庫時刻と前記駐車エリア情報とから駐車料金を決定して精算する。
上記実施形態の構成により、前記中央システムの管理データを使えるときは、前記中央システムの管理データの中の駐車券に記録された前記車両識別情報に関連づけられた前記入庫時刻または前記出庫時刻の一方または両方と前記駐車エリア情報とを取得して、前記入庫時刻と前記出庫時刻と前記駐車エリア情報と駐車券に記録された前記入庫時刻と前記出庫時刻と前記駐車エリア情報とから駐車料金を決定して精算し、前記中央システムの管理データを使えないときは、駐車券に記録された前記入庫時刻と前記出庫時刻と前記駐車エリア情報とから駐車料金を決定して精算するので、通常は、正確な駐車料金の精算ができ、精算管理装置と中央システムとの通信ができなくなった場合でも、駐車料金の精算ができる。
【００１５】
また、本発明の実施形態に係る駐車場管制装置は、前記媒体情報申請装置が、前記中央システムの管理データの中の駐車券に記録された前記車両識別情報に関連づけられ駐車券の申請を受け付けた時刻の直前の前記入庫時刻または前記出庫時刻の一方または両方と前記駐車エリア情報とを駐車券に記録する。
上記実施形態の構成により、駐車券の申請を受け付けた時刻の直前の前記入庫時刻または前記出庫時刻の一方または両方と前記駐車エリア情報とを前記中央システムから取得して駐車券に記録すると、ほとんどの運転手は駐車スペースに車両は駐車した後ですぐに駐車券を申請するので、精算管理装置と中央システムとの通信ができなくても、安定した駐車料金の精算ができる。
【００１６】
また、本発明の実施形態に係る駐車場管制装置は、前記入場管理装置が入場時刻を駐車券に記録し、前記媒体情報申請装置が、前記中央システムの管理データの中の駐車券に記録された前記車両識別情報に関連づけられ前記入場時刻から所定時間を経過した時刻の直前の前記入庫時刻または前記出庫時刻の一方または両方と前記駐車エリア情報とを駐車券に記録する。
上記実施形態の構成により、前記入場時刻から所定時間を経過した時刻の直前の前記入庫時刻または前記出庫時刻の一方または両方と前記駐車エリア情報とを前記中央システムから取得して駐車券に記録すると、ほとんどの運転手は駐車場に入場して所定時間を経過した時には駐車スペースに車両を駐車しているので、精算管理装置と中央システムとの通信ができなくても、安定した駐車料金の精算ができる。
【００１７】
また、本発明の実施形態に係る駐車場管制装置は、前記入場管理装置が入場時刻を駐車券に記録し、前記媒体情報申請装置が、駐車券の申請を受けた時刻が入場時刻から一定の時間を経過していないときに、前記中央システムの管理データの中の駐車券に記録された前記車両識別情報に関連づけられ駐車券の申請を受け付けた時刻の直前の前記入庫時刻または前記出庫時刻の一方または両方と前記駐車エリア情報とを駐車券に記録し、駐車券の申請を受けた時刻が入場時刻から一定の時間を経過した後であるときに、前記中央システムの管理データの中の駐車券に記録された前記車両識別情報に関連づけられ前記入場時刻から所定時間を経過した時刻の直前の前記入庫時刻または前記出庫時刻の一方または両方と前記駐車エリア情報とを駐車券に記録する。
上記実施形態の構成により、駐車券の申請を受けた時刻が入場時刻から一定の時間を経過していないときに、駐車券の申請を受け付けた時刻の直前の前記入庫時刻または前記出庫時刻の一方または両方と前記駐車エリア情報とを前記中央システムから取得して駐車券に記録し、駐車券の申請を受けた時刻が入場時刻から一定の時間を経過した後であるときに、前記入場時刻から所定時間を経過した時刻の直前の前記入庫時刻または前記出庫時刻の一方または両方と前記駐車エリア情報とを前記中央システムから取得して駐車券に記録すると、ほとんどの運転手は駐車スペースに車両は駐車した後ですぐに駐車券を申請し、ほとんどの運転手は駐車場に入場して所定時間を経過した時には駐車スペースに車両を駐車しているので、精算管理装置と中央システムとの通信ができなくても、安定した駐車料金の精算ができる。
【００１８】
以下に、本発明に係る駐車場管制方法のいくつかの実施形態を説明する。本発明は、以下に記載の実施形態のいずれか、またはそれらの中の二つ以上が組合わされた態様を含む。
【００１９】
また、本発明の実施形態に係る駐車場管制方法は、前記精算管理工程が、中央システムと通信できるときは、前記中央システムの管理データの中の駐車券に記録された前記車両識別情報に関連づけられた前記入庫時刻または前記出庫時刻の一方または両方と前記駐車エリア情報とを取得して、前記入庫時刻と前記出庫時刻と前記駐車エリア情報とから駐車料金を決定し精算し、中央システムと通信できないときは、駐車券に記録された前記入庫時刻と前記出庫時刻と前記駐車エリア情報とから駐車料金を決定して精算する。
上記実施形態の構成により、中央システムの記憶データを使えるときは、前記中央システムの管理データの中の駐車券に記録された前記車両識別情報に関連づけられた前記入庫時刻または前記出庫時刻の一方または両方と前記駐車エリア情報とを取得して、前記入庫時刻と前記出庫時刻と前記駐車エリア情報とから駐車料金を決定し精算し、中央システムの記憶データを使えないときは、駐車券に記録された前記入庫時刻と前記出庫時刻と前記駐車エリア情報とから駐車料金を決定して精算するので、通常は、正確な駐車料金の精算ができ、中央システムとの通信ができなくなった場合でも、安定した駐車料金の精算ができる。
【００２０】
また、本発明の実施形態に係る駐車場管制方法は、前記精算管理工程が、中央システムと通信できるときは、前記中央システムの管理データの中の駐車券に記録された前記車両識別情報に関連づけられた前記入庫時刻または前記出庫時刻の一方または両方と前記駐車エリア情報とを取得して、前記入庫時刻と前記出庫時刻と前記駐車エリア情報と駐車券に記録された前記入庫時刻と前記出庫時刻と前記駐車エリア情報とから駐車料金を決定し精算し、中央システムと通信できないときは、駐車券に記録された前記入庫時刻と前記出庫時刻と前記駐車エリア情報とから駐車料金を決定して精算する。
上記実施形態の構成により、中央システムの記憶データを使えるときは、前記中央システムの管理データの中の駐車券に記録された前記車両識別情報に関連づけられた前記入庫時刻または前記出庫時刻の一方または両方と前記駐車エリア情報とを取得して、前記入庫時刻と前記出庫時刻と前記駐車エリア情報と駐車券に記録された前記入庫時刻と前記出庫時刻と前記駐車エリア情報とから駐車料金を決定し精算し、中央システムの記憶データを使えないときは、駐車券に記録された前記入庫時刻と前記出庫時刻と前記駐車エリア情報とから駐車料金を決定して精算するので、通常は、正確な駐車料金の精算ができ、中央システムとの通信ができなくなった場合でも、安定した駐車料金の精算ができる。
【００２１】
また、本発明の実施形態に係る駐車場管制方法は、前記媒体情報申請工程が、前記中央システムの管理データの中の駐車券に記録された前記車両識別情報に関連づけられ駐車券の申請を受け付けた時刻の直前の前記入庫時刻または前記出庫時刻の一方または両方と前記駐車エリア情報とを駐車券に記録する。
上記実施形態の構成により、駐車券の申請を受け付けた時刻の直前の前記入庫時刻または前記出庫時刻の一方または両方と前記駐車エリア情報とを前記中央システムから取得して駐車券に記録すると、ほとんどの運転手は駐車スペースに車両は駐車した後ですくに駐車券を申請するので、中央システムとの通信ができなくても、安定した駐車料金の精算ができる。
【００２２】
また、本発明の実施形態に係る駐車場管制方法は、前記入場管理工程が、入場時刻を駐車券に記録し、前記媒体情報申請工程が、前記中央システムの管理データの中の駐車券に記録された前記車両識別情報に関連づけられ前記入場時刻から所定時間を経過した時刻の直前の前記入庫時刻または前記出庫時刻の一方または両方と前記駐車エリア情報とを駐車券に記録する。
上記実施形態の構成により、前記入場時刻から所定時間を経過した時刻の直前の前記入庫時刻または前記出庫時刻の一方または両方と前記駐車エリア情報とを前記中央システムから取得して駐車券に記録すると、ほとんどの運転手は駐車場に入場して所定時間を経過した時には駐車スペースに車両を駐車しているので、中央システムとの通信ができなくても、安定した駐車料金の精算ができる。
【００２３】
また、本発明の実施形態に係る駐車場管制方法は、前記入場管理工程が、入場時刻を駐車券に記録し、前記媒体情報申請工程が、駐車券の申請を受けた時刻が入場時刻から一定の時間を経過していないときに、前記中央システムの管理データの中の駐車券に記録された前記車両識別情報に関連づけられ駐車券の申請を受け付けた時刻の直前の前記入庫時刻または前記出庫時刻の一方または両方と前記駐車エリア情報とを駐車券に記録し、駐車券の申請を受けた時刻が入場時刻から一定の時間を経過した後であるときに、前記中央システムの管理データの中の駐車券に記録された前記車両識別情報に関連づけられた前記入場時刻から所定時間を経過した時刻の直前の前記入庫時刻または前記出庫時刻の一方または両方と前記駐車エリア情報とを駐車券に記録する。
上記実施形態の構成により、駐車券の申請を受けた時刻が入場時刻から一定の時間を経過していないときに、駐車券の申請を受け付けた時刻の直前の前記入庫時刻または前記出庫時刻の一方または両方と前記駐車エリア情報とを前記中央システムから取得して駐車券に記録し、駐車券の申請を受けた時刻が入場時刻から一定の時間を経過した後であるときに、前記入場時刻から所定時間を経過した時刻の直前の前記入庫時刻または前記出庫時刻の一方または両方と前記駐車エリア情報とを前記中央システムから取得して駐車券に記録すると、ほとんどの運転手は駐車スペースに車両は駐車した後ですぐに駐車券を申請し、ほとんどの運転手は駐車場に入場して所定時間を経過した時には駐車スペースに車両を駐車しているので、中央システムとの通信ができなくても、安定した駐車料金の精算ができる。
【００２４】
以下、本発明を実施するための最良の形態を、図面を参照して説明する。なお、各図において、共通する部分には同一の符号を付し、重複した説明を省略する。
【００２５】
最初に、本発明の実施形態に係る駐車場管制装置を、図を基に、説明する。
図１は、本発明の実施形態に係る駐車場管制装置の概念図である。図２は、本発明の実施形態に係る駐車場管制装置のシステム系統図である。図３は、本発明の実施形態に係る駐車券のメモリ構成図である。
【００２６】
最初に、駐車場を説明する。
駐車場は、個別の料金体系を設定され車両を駐車できる複数の駐車エリアを持つ。
連絡通路が、駐車エリアを連絡する。車両は、一つの駐車エリアから連絡通路を通って他の駐車エリアに移動できる。
【００２７】
図１は、駐車エリアＡと駐車エリアＢと駐車エリアＣとが連絡通路で繋がっている。入場口と出場口とは駐車エリアＡに繋がっている。
車両は、入場口を通過して駐車エリアＡに入ることをできる。
車両は、駐車エリアＡから出場口を通過して出ることをできる。
【００２８】
駐車場管制装置は、駐車場の駐車料金を駐車券７０を用いて管理する装置であって、中央システム１０と入場管理装置２０と入庫管理装置３０と出庫管理装置４０と媒体情報申請装置５０と出場管理装置６０と精算管理装置６５とで構成される。
説明の便宜のために、図１に記載の駐車場で使用する場合を例にして、駐車場管制装置を説明する。
【００２９】
駐車券７０は、駐車場を管理するための券である。
例えば、駐車券は、紙券、磁気カード、ＩＣカード、車載機に差し込まれた無線カード等である。
紙券は、入庫時刻等を印字できる紙の券である。
磁気カードは、入庫時刻等を磁気記録できる券である。
ＩＣカードは、入庫時刻等をメモリに記録できる券である。
無線カードは、無線を介してデータの授受をするカードである。
【００３０】
図３は、磁気カード７０の一例を示している。
例えは、磁気カード７０は、駐車場コード７１と駐車券番号７２と車両識別情報７３と入場時刻７４と駐車エリア情報７５と入庫時刻７６と出庫時刻７７と精算時刻７８と管理情報７９とを磁気記録できる。
駐車場コード７１は、駐車場を識別できるコードである。
駐車券番号７２は、駐車券を特定するための番号である。
車両識別情報７３は、車両を識別するための情報であり、例えば、ナンバープレートに付された一連の文字と数字である。
入場時刻７４は、車両が入場口を通過した時刻であり、日時で表される。
駐車エリア情報７５は、駐車エリアを特定するコードである。
入庫時刻７６は、車両が駐車エリアの入庫口を通過した時刻であり、日時で表される。
出庫時刻７７は、車両が駐車エリアの出庫口を通過した時刻であり、日時で表される。
精算時刻７８は、運転手が駐車料金を精算した時刻であり、日時で表される。
管理情報７９は、上記の他に、駐車場を管理するのに必要な情報である。例えば、割引のための情報である。
【００３１】
中央システム１０は駐車場の管理のための管理データを記録できるシステムである。
例えば、中央システム１０は、ＣＰＵと内部記憶装置と外部記憶装置とプリンタとモニタとキーボードとを備えたパーソナルコンピュータである。
中央システム１０は、入場管理装置２０と入庫管理装置３０と出庫管理装置４０と媒体情報申請装置５０と出場管理装置６０と精算管理装置６５とに通信系統を経由して通信することをでき、データを一方向または双方向に転送できる。
例えば、中央システム１０は、入場管理装置２０から駐車券番号７２と車両を識別する車両識別情報７３と車両が駐車場に入場する入場時刻７４とを受けとり、管理データとして記録する。また、中央システム１０は、入庫口に設けられた入庫管理装置３０から連絡通路を通過する車両を識別する車両識別情報７３と車両の通過する時刻を入庫時刻７６として受け取り、管理データとして記録する。また、中央システム１０は、出庫口に設けられた出庫管理装置４０から連絡通路を通過する車両を識別する車両識別情報と車両の通過する時刻を出庫時刻として受け取り、管理データとして記録する。また、中央システム１０は、媒体情報申請装置５０から駐車券番号７２又は車両識別情報７３を受け取り、管理データの中の車両識別情報７３に関連づけられた入庫時刻７６と出庫時刻７７と駐車エリア情報７５とを送る。また、中央システム１０は、精算管理装置６５から駐車券番号７２又は車両識別情報７３を受け取り、その車両識別情報７３に関連づけられた入庫時刻７６と出庫時刻７７と駐車エリア情報７５と送る。
【００３２】
入場管理装置２０は、駐車場の入口を通過する車両を非接触で識別し車両識別情報を生成して、車両の駐車券に駐車券番号７２と駐車場への入場時刻７４と車両識別情報７３とを記録する装置である。
例えば、入場管理装置２０は、カーゲート２１と駐車券発行機２２と車両ＩＤ取得装置２３とで構成される。
カーゲート２１は、入場口を塞ぐ様にゲートバーを降ろし、入庫口に車両を通過可能になる様にゲートバーを上げる装置である。
駐車券発行機２２は、カーゲート２１の前に停止した車両に駐車券を発行する装置である。駐車券発行機２２は、駐車券に駐車場コード７１と駐車券番号７２と車両識別情報７３と入場時刻７４とを記録して、発行する。
車両ＩＤ取得装置２３は、駐車場の入口を通過する車両を非接触で識別し車両識別情報を生成して、駐車券番号７２と車両識別情報７３と入場時刻７４とを駐車券発行機２２とを中央システム１０とに送る。例えば、車両ＩＤ取得装置２３は、車両のナンバープレートを撮像し、画像処理によりナンバープレートに付された文字と数字とをコード化して車両識別情報７３にする。
【００３３】
入庫管理装置３０は、駐車エリアの入口を通過する車両を非接触で識別し車両識別情報を生成して、駐車エリアへの入庫時刻７６と駐車エリアを特定する駐車エリア情報７５と車両識別情報７３とを互いに関連づけて、中央システム１０に記録させる装置である。
例えば、入庫管理装置３０は、車両通過情報取得装置３０ａ、３０ｂ、３０ｃを備える。車両通過情報取得装置３０ａ、３０ｂ、３０ｃが、駐車エリアの入庫口に配置される。
例えば、車両通過情報取得装置３０ａ、３０ｂ、３０ｃは、車両のナンバープレートを撮像し、画像処理によりナンバープレートに付された文字と数字とをコード化して車両識別情報７３にする。
車両通過情報取得装置３０ａ、３０ｂ、３０ｃは、連絡通路を通過して駐車エリアの入庫口に入る車両を識別して車両識別情報を生成し、車両識別情報７３と入庫時刻７６と駐車エリア情報７５とを中央システム１０へ送る。
中央システム１０は、受け取った車両識別情報７３と入庫時刻７６と駐車エリア情報７５とを互いに関連づけて、管理データの中の一致する車両識別情報と駐車券番号に関連づけて記録する。
【００３４】
出庫管理装置４０は、駐車エリアの出口を通過する車両を非接触で識別し、車両識別情報を生成して駐車エリアへの出庫時刻と駐車エリアを特定する駐車エリア情報と車両識別情報とを互いに関連づけて、中央システム１０に記録させる装置である。
例えば、出庫管理装置４０は、車両通過情報取得装置４０ａ、４０ｂ、４０ｃを備える。車両通過情報取得装置４０ａ、４０ｂ、４０ｃが、駐車エリアの出庫口に配置される。
例えば、車両通過情報取得装置４０ａ、４０ｂ、４０ｃは、車両のナンバープレートを撮像し、画像処理によりナンバープレートに付された文字と数字とをコード化して車両識別情報７３にする。
車両通過情報取得装置４０ａ、４０ｂ、４０ｃは、駐車エリアの出庫口を出て連絡通路を通過した車両を識別して車両識別情報を生成し、車両識別情報７３と出庫時刻７７と駐車エリア情報７５とを中央システム１０へ送る。
中央システム１０は、受け取った車両識別情報７３と出庫時刻７７と駐車エリア情報７５とを互いに関連づけて、管理データの中の一致する車両識別情報と駐車券番号に関連づけて記録する。
【００３５】
入庫管理装置３０と出庫管理装置４０とは、一台の入出庫管理装置に内蔵されることもある。
一方の駐車エリアから他方の駐車エリアへの連絡通路に入出庫管理装置が設けられる場合、一方の駐車エリアの出庫時刻が他方の駐車エリアの入庫時刻に相当する。
【００３６】
媒体情報申請装置５０は、駐車券の申請を受け付けて、中央システム１０の管理データの中の駐車券７０に記録された車両識別情報７３に関連づけられた入庫時刻７６または出庫時刻７７の一方または両方と駐車エリア情報７５とを取得して駐車券７０に記録する装置である。
媒体情報申請装置５０は、駐車エリアの運転手の退場口の付近に設置されてもよい。
運転手が、車両の駐車券を媒体情報申請装置５０の駐車券投入口に投入すると、駐車券７０に記録された駐車券番号７２と車両識別情報７３を読み取り、駐車券番号７２と車両識別情報７３とを中央システム１０に送る。
中央システム１０は、駐車券番号７２または車両識別情報７３を受けとり、管理データの中の車両識別情報７３に関連づけられた一連の駐車エリア情報７５と入庫時刻７６と出庫時刻７７とを媒体情報申請装置５０に送る。
媒体情報申請装置５０は、一連の駐車エリア情報７５と入庫時刻７６と出庫時刻７７との全てまたは選択した駐車エリア情報７５と入庫時刻７６と出庫時刻７７とを駐車券７０に記録して、駐車券を駐車券排出口から排出する。
【００３７】
以下に、媒体情報申請装置５０が、選択した駐車エリア情報７５と入庫時刻７６と出庫時刻７７とを駐車券７０に記録する場合の３通りの選択方法を、図を基に、説明する。
図５は、本発明の実施形態に係る駐車場管制方法の作動説明図その１である。図６は、本発明の実施形態に係る駐車場管制方法の作動説明図その２である。
【００３８】
図５は、第一の選択方法を示している。
第一の選択方法では、媒体情報申請装置５０が、中央システム１０の管理データの中の駐車券７０に記録された車両識別情報７３に関連づけられた一連の入庫時刻７６と出庫時刻７７と駐車エリア情報７５の内から駐車券７０の申請を受け付けた時刻の直前の入庫時刻７６または出庫時刻７７の一方または両方と駐車エリア情報７５とを駐車券に記録する。
駐車券７０の申請を受け付けた時刻の直前のデータが特定の駐車エリアの入庫時刻である場合、駐車エリア情報７５と入庫時刻７６とを駐車券７０に記録する。
駐車券７０の申請を受け付けた時刻の直前のデータが特定の駐車エリアの出庫時刻である場合、駐車エリア情報７５と入庫時刻７６と出庫時刻７７とを駐車券７０に記録する。
図５のＡは、駐車券７０の申請を受け付けた時刻の直前のデータが特定の駐車エリアの入庫時刻である場合を示している。枠で囲った駐車エリアＣの入庫時刻を駐車券７０に記録する。
図５のＢは、駐車券７０の申請を受け付けた時刻の直前のデータが特定の駐車エリアの出庫時刻である場合を示している。枠で囲った駐車エリアＣの入庫時刻と出庫時刻とを駐車券７０に記録する。
【００３９】
図６は、第二の選択方法を示している。
第二の選択方法では、媒体情報申請装置５０が、中央システム１０の管理データの中の駐車券７０に記録された車両識別情報７３に関連づけられた一連の入庫時刻７６と出庫時刻７７と駐車エリア情報７５の内から入場時刻７４から所定時間を経過した時刻の直前の入庫時刻７６または出庫時刻７７の一方または両方と駐車エリア情報７５とを駐車券７０に記録する。
以下、説明の便宜のために、入場時刻７４から所定時間を経過した時刻を申請判定基準時刻と呼ぶ。
例えば、所定時間は２時間である。統計上、車両は、駐車場へ入場してから２時間以内には、決まった駐車エリアに駐車している。
申請判定基準時刻の直前のデータが特定の駐車エリアの入庫時刻である場合、駐車エリア情報７５と入庫時刻７６とを駐車券７０に記録する。
申請判定基準時刻の直前のデータが特定の駐車エリアの出庫時刻である場合、駐車エリア情報７５と入庫時刻７６と出庫時刻７７とを駐車券７０に記録する。
図６のＡは、駐車券７０の申請を受け付けた時刻の直前のデータが特定の駐車エリアの入庫時刻である場合を示している。枠で囲った駐車エリアＢの入庫時刻を駐車券７０に記録する。
図６のＢは、駐車券７０の申請を受け付けた時刻の直前のデータが特定の駐車エリアの出庫時刻である場合を示している。枠で囲った駐車エリアＢの入庫時刻と出庫時刻とを駐車券７０に記録する。
【００４０】
第三の選択方法では、駐車券の申請を受けた時刻が入場時刻から一定の時間を経過していないときに、中央システム１０の管理データの中の駐車券７０に記録された車両識別情報７３に関連づけられた一連の入庫時刻７６と出庫時刻７７と駐車エリア情報７５の内から駐車券７０の申請を受け付けた時刻の直前の入庫時刻７６または出庫時刻７７の一方または両方と前記駐車エリア情報７５とを駐車券に記録し、駐車券７０の申請を受けた時刻が入場時刻から一定の時間を経過した後であるときに、中央システム１０の管理データの中の駐車券７０に記録された車両識別情報７３に関連づけられた一連の入庫時刻７６と出庫時刻７７と駐車エリア情報７５の内から入場時刻７６から所定時間を経過した時刻の直前の入庫時刻７６または出庫時刻７７の一方または両方と駐車エリア情報７５とを駐車券７０に記録する。
例えば、一定の時間は、５時間である。一定の時間以上駐車した場合に、駐車料金が定額になる駐車場において有効な選択方法である。
【００４１】
精算管理装置６５は、駐車券７０に記録された入庫時刻７６と出庫時刻７７と駐車エリア情報７５とから駐車料金を決定して精算することをできる装置である。
精算管理装置６５は、駐車券７０に記録された入庫時刻７６と出庫時刻７７と駐車エリア情報７５とを読み取り、駐車エリア情報と入庫時刻と出庫時刻と出場時刻とから駐車料金を演算する。
精算管理装置６５は、出場管理装置６０の一部として設けられたり、駐車エリアに設けられる。
【００４２】
精算管理装置６５が、中央システム１０と通信できるときは、中央システムの管理データの中の駐車券７０に記録された車両識別情報７３に関連づけられた入庫時刻７６または出庫時刻７７の一方または両方と駐車エリア情報７５とを取得して、入庫時刻７６と出庫時刻７７と駐車エリア情報７５と駐車券７０に記録された入庫時刻７６と出庫時刻７７と駐車エリア情報７５とから駐車料金を決定し精算し、中央システム１０と通信できないときは、駐車券７０に記録された入庫時刻７６と出庫時刻７７と駐車エリア情報７５とから駐車料金を決定し精算してもよい。
精算管理装置６５が駐車券を用いた精算を受け付けた時を精算時刻とする。
例えば、駐車券が磁気カードである場合、駐車券が精算管理装置６５の駐車券投入口に投入された時を精算時刻とする。また、駐車券がＩＣカード、無線カードである場合に、精算管理装置６５が駐車券と精算のための通信を開始した時を精算時刻とする。
【００４３】
例えば、精算管理装置６５が、中央システム１０と通信できるときは、駐車券に記録された車両識別情報７３と入庫時刻７６と出庫時刻７７と駐車エリア情報７５とを読み取り、車両識別情報７３を中央システム１０に送る。中央システム１０は、車両識別情報７３に関連づけられたその入庫時刻の後の入庫時刻７６と出庫時刻７７と駐車エリア情報７５とを精算管理装置６５へ送る。精算管理装置６５は、それらの情報と駐車券に記録された車両識別情報７３と入庫時刻７６と出庫時刻７７と駐車エリア情報７５と駐車エリアに設定された個々の料金体系を基に、合計の駐車料金を演算する。
【００４４】
例えば、精算管理装置６５が、中央システム１０と通信できないときは、駐車券７０に記録された入庫時刻７６と出庫時刻７７と駐車エリア情報７５とを読み取り、入庫時刻７６と出庫時刻７７と駐車エリア情報７５と駐車エリアに設定された個々の料金体系を基に、合計の駐車料金を演算する。
例えば、駐車券に入庫時刻が記録され出庫時刻が記録されていない場合、精算管理装置６５は、車両が入場時刻から入庫時刻までを駐車エリアＡに駐車し、入庫時刻から精算時刻まで駐車エリア情報で特定される駐車エリアに駐車していたものと推測して、駐車エリアに設定された個々の料金体系を基に、合計の駐車料金を演算する。
例えば、駐車券に入庫時刻と出庫時刻とが記録されている場合、精算管理装置６５は、車両が入場時刻から入庫時刻までを駐車エリアＡに駐車し、入庫時刻から精算時刻まで駐車エリア情報で特定される駐車エリアに駐車し、出庫時刻から精算時刻まで駐車エリアＡに駐車していたものと推測して、駐車エリアに設定された個々の料金体系を基に、合計の駐車料金を演算する。
【００４５】
出場管理装置６０は、駐車場の出口を通過する車両を管理する装置である。
例えば、出場管理装置６０は、カーゲート６１と駐車券情報読み取り装置（図示せず）と精算管理装置６５とで構成される。
駐車券情報読み取り装置は、駐車券の挿入を受け付ける。駐車券情報読み取り装置は、駐車券が挿入された時刻を出場時刻とし、駐車券に関連する情報に基づき、出場判断を行なう。
出場判断とは、出場口にある車両が出場可能であるか否かを決定する判断である。
駐車券情報読み取り装置は、駐車券に関連する情報に精算済みと記録されており、かつ精算時刻から所定の時間（ここで、所定の時間を精算後出場猶予時間と呼称する。）を経過する前に駐車券の挿入を受け付けているときに、出場可能と判断する。
出場可能と判断されなかったときは、精算管理装置６５によって上述した精算管理処理を行なう。この時、出場時刻が精算時刻となる。
精算を完了すると、精算完了の後で、出場可能と判断して、カーゲート６１を開く。
カーゲート６１は、出場口を塞ぐ様にゲートバーを降ろし、出場口に車両を通過可能になる様にゲートバーを上げる装置である。
【００４６】
次に、本発明の実施形態に係る駐車場管制方法の構成を、図を基に、説明する。
図４は、本発明の実施形態に係る駐車場管制方法のフローチャート図である。
駐車場管制方法は、個別の料金体系を設定され車両を駐車できる複数の駐車エリアを持つ駐車場の駐車料金を駐車券を用いて管理する方法であって、入場管理工程Ｓ１０と入庫管理工程Ｓ２０と出庫管理工程Ｓ３０と媒体情報申請工程Ｓ４０と出場管理工程Ｓ５０と精算管理工程Ｓ６０とで構成される。
上述した駐車場管制装置を使用する場合を例に説明する。
駐車券と中央システムとは、駐車場管制装置のものと同じなので、説明を省略する。
【００４７】
入場管理工程Ｓ１０は、駐車場の入口を通過する車両を非接触で識別し車両識別情報７３を生成して、車両の駐車券７０に駐車券番号７２と入場時刻７６と車両識別情報７３とを記録する工程である。
例えば、車両のナンバープレートに付された文字と数字とを車両識別情報とする。
入場時刻は、車両が入場口を通過する時刻である。
入場口が、駐車エリアへの入庫口を兼ねている場合には、入場時刻は、その駐車エリアへの入庫時刻となる。
【００４８】
入庫管理工程Ｓ２０は、駐車エリアの入口を通過する車両を非接触で識別し車両識別情報を生成して、駐車エリアへの入庫時刻と駐車エリアを特定する駐車エリア情報と該車両識別情報とを互いに関連づけて中央システム１０に記録させる工程である。
駐車エリアの入口を通過する車両のナンバープレートに付された文字と数字とを車両識別情報とする。
駐車エリアへの入庫時刻と駐車エリアを特定する駐車エリア情報と車両識別情報とを中央システム１０に通知する。
中央システム１０は、入庫時刻７６と駐車エリア情報７５と車両識別情報７３とを受取り、管理データ中の一致する車両識別情報７３に互いに関連づけて記録する。
【００４９】
出庫管理工程Ｓ３０は、駐車エリアの出口を通過する車両を非接触で識別し車両識別情報を生成して、駐車エリアへの出庫時刻７７と駐車エリアを特定する駐車エリア情報７５と車両識別情報７３とを互いに関連づけて、中央システム１０に記録させる工程である。
例えば、駐車エリアの出口を通過する車両のナンバープレートに付された文字と数字とを車両識別情報とする。
駐車エリアへの出庫時刻と駐車エリアを特定する駐車エリア情報と車両識別情報とを中央システム１０に通知する。
中央システム１０は、出庫時刻７７と駐車エリア情報７５と車両識別情報７３とを受取り、管理データ中の一致する車両識別情報７３に互いに関連づけて記録する。
【００５０】
媒体情報申請工程Ｓ４０では、駐車券の申請を受け付けて、中央システム１０の管理データの中の駐車券に記録された前記車両識別情報に関連づけられた入庫時刻または出庫時刻の一方または両方と駐車エリア情報とを取得して、駐車券に記録する工程である。
駐車エリアの運転手の退場口の付近で駐車券の申請を受け付けてもよい。
車両の駐車券を受け付けると、駐車券７０に記録された車両識別情報７３を読み取り、車両識別情報７３を中央システム１０に送る。
中央システム１０は、管理データの中の受け取った車両識別情報７３に関連づけられた一連の駐車エリア情報７５と入庫時刻７６と出庫時刻７７とを媒体情報申請装置５０に送る。ここで、入場時刻は、駐車エリアＡの入庫時刻に相当する。
媒体情報申請工程Ｓ４０で、管理データの中の一連の駐車エリア情報７５と入庫時刻７６と出庫時刻７７との全てまたは選択した駐車エリア情報７５と入庫時刻７６と出庫時刻７７とを駐車券７０に記録して、駐車券を車両の運転手に渡す。
【００５１】
媒体情報申請工程Ｓ４０が、選択した駐車エリア情報７５と入庫時刻７６と出庫時刻７７とを駐車券７０に記録する場合の３通りの選択方法は、駐車場管理装置の説明で記載したものと同じなので、説明を省略する。
【００５２】
精算管理工程Ｓ６０は、駐車券に記録された入庫時刻７６と出庫時刻７７と駐車エリア情報７５とから駐車料金を決定して精算することをできる工程である。
例えば、精算管理工程Ｓ６０は、第一精算工程Ｓ６１と第二精算工程Ｓ６２とで構成される。
【００５３】
第一精算工程Ｓ６１は、中央システム１０が正常作動しているときの工程である。
第一精算工程Ｓ６１は、中央システム１０の管理データの中の駐車券に記録された車両識別情報７３に関連づけられた入庫時刻７６または出庫時刻７７の一方または両方と駐車エリア情報７５とを取得して、その入庫時刻７６と出庫時刻７７と駐車エリア情報７５と駐車券に記録された入庫時刻７６と出庫時刻７７と駐車エリア情報７５とから駐車料金を決定して精算する。
具体例は、駐車場管理装置において、中央システム１０と通信できるときのものと同じなので、説明を省略する。
【００５４】
第二精算工程Ｓ６２は、中央システムが正常作動していないときの工程である。
第二精算工程Ｓ６２は、駐車券に記録された入庫時刻７６と出庫時刻７７と駐車エリア情報７５とから駐車料金を決定して精算する。
具体例は、駐車場管理装置において、中央システム１０と通信できないときのものと同じなので、説明を省略する。
【００５５】
出場管理工程Ｓ５０は、駐車場の出口を通過する車両を管理する工程である。
例えば、出場管理装置６０は、駐車券の挿入を受け付ける。出場管理装置６０は、駐車券が挿入された時刻を出場時刻と設定し、駐車券に関連する情報に基づき、出場判断を行なう。
出場管理装置６０は、駐車券に関連する情報に精算済みと記録されており、かつ精算時刻から所定の時間（ここで、所定の時間を精算後出場猶予時間と呼称する。）を経過する前に駐車券の挿入を受け付けているときに、出場可能と判断する。
出場可能と判断されなかったときは、精算管理工程６０に戻る。
精算管理行程６０を実施して精算を完了すると、再び出場管理行程Ｓ５０を実施する。
【００５６】
上述の実施形態の駐車場管制装置と駐車場管制方法とを用いれば、以下の効果を発揮する。
駐車場の管理のための管理データを記録できる中央システムを設け、駐車場の入口で車両を非接触で識別して得た車両識別情報を生成し、駐車券番号７２と入場時刻７４と車両識別情報７３とを記録した駐車券を発行し、駐車エリアに入出庫する際に車両を非接触で識別して車両識別情報７３を生成し、駐車エリア情報７５と入出庫の時刻７６，７７と車両識別情報７３とを中央システム１０に記録させ、駐車券の申請を受け付けた際に駐車券に駐車エリアでの入出庫の時刻７６、７７と駐車エリア情報７５とを記録し、駐車場を出場する際に駐車券に記録した入出庫の時刻７６、７７と駐車エリア情報７５とを基に駐車料金を精算できる様にしたので、ひとつの駐車エリアから他の駐車エリアへ移る際に車両を一時停止する必要がなく、また、中央システムが正常に機能しなくても、駐車料金の精算をすることができる。
また、中央システム１０が正常である場合には、中央システム１０のもつ管理データ中の入出庫の時刻７６、７７と駐車券に記録された入出庫の時刻７６、７７を用いて駐車料金を決定する様にしたので、正確な駐車料金を精算できる。
また、駐車エリアの運転手の退場口の付近で駐車券の申請を受け付けて、中央システム１０のもつ管理データのなかの入出庫の時刻７６、７７を駐車券に記録する様にしたので、運転手が駐車エリアに車両を駐車して退場する際に駐車券を申請しやすく、駐車券に車両を駐車した駐車エリアに関する入出庫の時刻７６、７７と駐車エリア情報７５とを記録できるので、出場管理装置と中央システムとの通信ができなくても、安定した駐車料金の精算ができる。
また、駐車券の申請を受け付けると、中央システム１０のもつ管理データの中から車両の入出庫の時刻の中の駐車券の申請を受け付けた時の直前の入出庫の時刻７６、７７を駐車券に記録する様にしたので、ほとんどの運転手は駐車スペースに車両は駐車した後ですぐに駐車券を申請するので、中央システムが正常に機能しなくても、安定した駐車料金の精算ができる。
また、駐車券の申請を受け付けると、中央システム１０のもつ管理データの中から入場時刻７４から所定時間を経過した時点の直前の入出庫の時刻７６、７７を駐車券に記録する様にしたので、ほとんどの運転手は駐車場に入場して所定時間を経過した時には駐車スペースに車両を駐車しているので、中央システムが正常に機能しなくても、安定した駐車料金の精算ができる。
また、駐車券の申請を受け付けた時刻が早いときは、中央システム１０のもつ管理データの中から車両の入出庫の時刻のうち駐車券の申請を受け付けた時の直前の入出庫の時刻を駐車券に記録し、駐車券の申請を受け付けた時刻が遅いときは、中央システムのもつ管理データの中から入場時刻から所定時間を経過した時点の直前の入出庫の時刻７６、７７を駐車券に記録する様にしたので、ほとんどの運転手は駐車スペースに車両は駐車した後ですぐに駐車券を申請し、ほとんどの運転手は駐車場に入場して所定時間を経過した時には駐車スペースに車両を駐車しているので、中央システムが正常に機能しなくても、安定した駐車料金の精算ができる。
【００５７】
本発明は以上に述べた実施形態に限られるものではなく、発明の要旨を逸脱しない範囲で各種の変更が可能である。
車両識別情報を車両のナンバープレートに付された文字と数字であるとしたが、これに限定されず、例えは、予め付与されて無線等の手段で取得できる車両ＩＤであってもよい。
また、駐車券を入場管理装置により発行される例で説明したが、これに限定されず、例えば予め発行された定期券でもよい。
また、媒体情報申請装置の説明において、駐車券を投入口に投入する例で説明したが、これに限定されず、例えば、ＩＣカードを読み取り書き込み機器にかざしてもよいし、無線カードを無線通信可能エリアに入れても良い。
【図面の簡単な説明】
【００５８】
【図１】本発明の実施形態に係る駐車場管制装置の概念図である。
【図２】本発明の実施形態に係る駐車場管制装置のシステム系統図である。
【図３】本発明の実施形態に係る駐車券のメモリ構成図である。
【図４】本発明の実施形態に係る駐車場管制方法のフローチャート図である。
【図５】本発明の実施形態に係る駐車場管制方法の作動説明図その１である。
【図６】本発明の実施形態に係る駐車場管制方法の作動説明図その２である。
【符号の説明】
【００５９】
１０    中央システム
２０    入場管理装置
２１    カーゲート
２２    駐車券発行機
２３    車両ＩＤ取得装置
３０    入庫管理装置
３０ａ  車両通過情報取得装置
３０ｂ  車両通過情報取得装置
３０ｃ  車両通過情報取得装置
４０    出庫管理装置
４０ａ  車両通過情報取得装置
４０ｂ  車両通過情報取得装置
４０ｃ  車両通過情報取得装置
５０    媒体情報申請装置
５０ｂ  媒体情報申請装置
５０ｃ  媒体情報申請装置
６０    出場管理装置
６１    カーゲート
６５    精算管理装置
７０    駐車券
７１    駐車場コード
７２    駐車券番号
７３    車両識別情報
７４    入場時刻
７５    駐車エリア情報
７６    入庫時刻
７７    出庫時刻
７８    精算時刻
７９    管理情報
【図１】
2006201996.tif 000003
【図２】
2006201996.tif 000004
【図３】
2006201996.tif 000005
【図４】
2006201996.tif 000006
【図５】
2006201996.tif 000007
【図６】
2006201996.tif 000008